(57)【要約】【課題】            把持部材が回動してしまうことで筆記感触が損なわれてしまうのを防止することができる上、生産性にも優れた筆記具を提供する。【解決手段】        軸筒１０の把持部位に、把持部材２０を環状に備えた筆記具において、前記軸筒１０には、前記把持部材２０の軸方向の端面と凹凸状に係合する係合部４２が、少なくとも周方向へ不動に設けられている。【選択図】          図１
2005138303.tif 000002
【特許請求の範囲】
【請求項１】
軸筒の把持部位に、把持部材を環状に備えた筆記具において、
前記把持部材の軸方向の端面と凹凸状に係合する係合部が、少なくとも軸筒周方向へ不動に設けられていることを特徴とする筆記具。
【請求項２】
上記把持部材を弾性材料から形成するとともに、軸筒の上記把持部位の略全域を、凹凸の無い面に形成したことを特徴とする請求項１記載の筆記具。
【請求項３】
上記把持部材の周壁に、軸方向へ貫通された空間部を複数具備し、
前記係合部は、前記空間部の少なくとも一つと嵌り合う凸状に形成されていることを特徴とする請求項１又は２記載の筆記具。
【請求項４】
上記軸筒と凹凸状に係合することで周方向へ不動な環状係止部材を備え、該環状係止部材に、上記係合部を設けたことを特徴とする請求項１乃至３何れか１項記載の筆記具。
【発明の詳細な説明】
【技術分野】
【０００１】
本発明は、軸筒の外周面に把持部材を具備している筆記具に関し、特に該把持部材が周方向へ回動してしまうのを防止した筆記具に関するものである。
【背景技術】
【０００２】
従来、この種の発明には、特許文献１に記載されたもののように、軸筒（２０）の把持部位の外周面に、弾性樹脂材料からなる略二重筒状のグリップ（１０）を嵌着してなり、グリップ（１０）の周壁部（１２）内に形成された中空部（１１）により良好な把持感触を得れるようにしたものがある。
【０００３】
しかしながら、前者の従来技術によれば、グリップ（１０）の内径を軸筒（２０）の把持部位の外径よりも小さくすることで、グリップ（１０）が周方向へ回動してしまうことがないようにしていたため、長期間使用された際等には、弾性樹脂材料からなるグリップ（１０）に手の油分等が付着し、該油分によりグリップ（１０）が膨潤してしまう場合がある。この場合、軸筒（２０）に対しグリップ（１０）が回動し易くなるため、良好な把持感触が得られなくなるおそれがあった。
【０００４】
そこで、軸筒の把持部位の外周面とグリップの内周面とを凹凸状に嵌め合わせることで、グリップが容易に回動しないようにした構成も考えられるが、この構成の場合、軸筒の把持部位の外周面に形成される凹部や凸部によって、把持感触を損ねてしまったり、グリップを軸筒に環装する際の抵抗が大きくなったりする等の懸念があった。
【特許文献１】特開２００２−３４７３８２号公報
【発明の開示】
【発明が解決しようとする課題】
【０００５】
本発明は上記従来事情に鑑みてなされたものであり、その課題とする処は、把持部材の把持感触が損なわれてしまうのを防止することができる上、生産性にも優れた筆記具を提供することにある。
【課題を解決するための手段】
【０００６】
上記課題を解決するために第一の発明は、軸筒の把持部位に、把持部材を環状に備えた筆記具において、前記把持部材の軸方向の端面と凹凸状に係合する係合部が、少なくとも軸筒周方向へ不動に設けられていることを特徴とする。
【０００７】
ここで、上記把持部材とは、軸筒の外周であって筆記時に把持される部位に、環状に備えられるものであればよく、この把持部材には、硬質合成樹脂材料や金属材料等の硬質材料から形成された態様等を含むが、把持感触をより向上するために好ましくは、弾性材料から形成された態様とする。
また、この把持部材には、その周壁部の内周面を上記把持部位に対して直接接触させるようにした態様や、周壁部の内周面に軸筒側へ突出する支持部を形成し、該支持部の突端を上記把持部位に接触させることで該周壁部と上記把持部位との間に空間部を形成するようにした態様、二重筒状に形成され、その内外の筒部間に空間部を形成するようにした態様等を含む。
また、上記係合部とは、上記把持部材の軸方向の端面と凹凸状に係合する部位であって、且つ少なくとも軸筒周方向へ不動に設けられた部位であればよく、この係合部には、軸筒や、該軸筒に装着された先口等に対し、直接的に設けられた態様と、間接的に設けられた態様との双方を含む。
上記係合部を軸筒や先口等に対し直接的に設けた態様の具体例としては、上記軸筒または先口に、上記係合部を一体成形または一体加工した構成等が挙げられる。
また、上記係合部を軸筒や先口等に対し間接的に設けた態様の具体例としては、上記軸筒または先口に、上記係合部を有する部材を、軸筒周方向へ回動不能に設けた構成等が挙げられる。
また、上記「凹凸状に係合」とは、上記把持部材の軸方向の端面に凹部を設けるとともに軸筒には周方向へ不動で且つ前記凹部側へ向く凸状の係合部を設け、これら凹部と凸状の係合部とを嵌め合わせた態様や、上記把持部材の軸方向の端面に凸部を設けるとともに軸筒には周方向へ不動で且つ前記凸部側へ向く凹状の係合部を設け、これら凸部と凹状の係合部とを嵌め合わせた態様、上記把持部材を弾性材料から形成するとともに軸筒には周方向へ不動で且つ上記把持部材の端面側へ向く凸部を設け、該凸部を弾性材料からなる把持部材の端面に弾性的に没入させるようにした態様等を含む。
【０００８】
また、第二の発明では、上記把持部材を弾性材料から形成するとともに、軸筒の上記把持部位の略全域を、凹凸の無い面に形成したことを特徴とする。
【０００９】
また、第三の発明では、上記把持部材の周壁に、軸方向へ貫通された空間部を複数具備し、前記係合部は、前記空間部の少なくとも一つと嵌り合う凸状に形成されていることを特徴とする。
【００１０】
また、第四の発明では、上記軸筒と凹凸状に係合することで周方向へ不動な環状係止部材を備え、該環状係止部材に、上記係合部を設けたことを特徴とする。
【発明の効果】
【００１１】
本発明は、以上説明したように構成されているので、以下に記載されるような作用効果を奏する。
第一の発明によれば、把持部材は、その軸方向の端面を、周方向へ不動な係合部に係合させているため、周方向へ回動することがない。したがって、筆記中等に、把持部材が回動してしまうことで、把持感触が損なわれてしまうのを防止することができる。
しかも、把持部材と係合部とが軸方向に嵌り合うようにしているため、生産性にも優れている。すなわち、従来技術では、把持部材の内径を軸筒の把持部位の外径よりも小さくすることで、把持部材の回動を防止していたため、把持部材を軸筒に環装する際の摩擦抵抗が大きく、生産性を損ねていた。しかしながら、本発明によれば、例えば把持部材の内径を軸筒の把持部位の外径よりも若干大きくして、生産性を向上することも可能である。
【００１２】
更に、第二の発明によれば、弾性材料からなる把持部材が、長期使用された際の膨潤等に起因して内径が大きくなり、軸筒に対して回動してしまうのを防止でき、ひいては弾性を有する良好な把持感触を長期間にわたって維持することができる。
しかも、軸筒の上記把持部位の略全域を、凹凸の無い面に形成しているため、把持した際の指が把持部材の何処の部位に沈み込んだとしても、良好な把持感触が得られる上、把持部材を軸筒に環装する際には、凹凸による軸筒径方向の引っかかり等がなく、挿入抵抗が小さいため、生産性にも優れている。
【００１３】
更に、第三の発明によれば、把持部材に、空間部により良好な把持感触が得られるようにする機能と、係合部との嵌り合いにより回動を防止する機能とを、併せ持つことができるため、把持感触及び生産性を一層向上することができる。
【００１４】
更に、第四の発明によれば、把持部材の端面を係合させる係合部を、生産性に優れた簡素な構成とすることができる。
【発明を実施するための最良の形態】
【００１５】
以下、本発明の実施の形態を図面に基づいて説明する。
この筆記具Ａは、軸筒１０後端側の操作によって、単数もしくは複数のボールペン用リフィール１やシャープペンシル用リフィール２等を選択的に出没させる出没式筆記具であり、前記軸筒１０前側の把持部位に、把持部材２０を環状に嵌め合わせ、該把持部材２０を環状係止部材４０によって回り止めしている（図１参照）。
【００１６】
軸筒１０は、当該筆記具Ａにおける前端側を構成する前軸１１と、後端側を構成する後軸部１２とを、継手部材１３によって接続してなる。
【００１７】
前軸１１は、本実施の形態の好ましい一例によれば黄銅製のパイプ材であり、その周壁における後端側には、プレス加工によって、後述するする環状係止部材４０を回り止めするための突部１１ａが形成されている。
また、同前軸１１における前記突部１１ａよりも前側の部位は、筆記者等によって把持される把持部位であり、この把持部位の外周面の略全域を、凹凸の無い曲面状に形成している。
【００１８】
突部１１ａは、前軸１１内で遠心方向へ広がるようにして開動する型により、前軸１１の周壁における所定部位を、遠心方向へ突出させることで形成されている。
詳細には、前記型の動作により、前軸１１の外周面に、該前軸１１の周壁を貫通するとともに前軸１１の周方向と略直交する二列の切込み部を形成し、これら両切込み部間を遠心方向へ突出させることで、突部１１ａが形成される。
尚、前軸１１の材質は、上記黄銅に限定されるものでないが、プレス加工を容易にするために、少なくとも靱性を有する金属材料であることが好ましい。また、前軸１１を合成樹脂製とし、その成形の際に突部１１ａを一体に形成することも可能である。
【００１９】
そして、前記突部１１ａの軸筒軸方向の配置は、後述する環状係止部材４０の凹部４１ａと嵌り合って、環状係止部材４０を周り止め可能な配置であればよいが、特に好ましくは、図示例のように、環状係止部材４０と嵌り合い、且つ後述するリング状部材１４の覆い部１４ｂが略覆い被さるように配置とする。
この構成によれば、例えば、筆記時に筆記具Ａが把持される際、筆記者の指は少なくともリング状部材１４よりも前側に位置するため、その指が把持部材２０の後端側に沈み込んだとしても、筆記者が突部１１ａによる違和感を感じることがなく、把持感触が良好である。
【００２０】
そして、上記構成の前軸１１の先端側外周面には、略円錐筒状の先口３０が圧入嵌合され、更に、後端側外周面には、継手部材１３が圧入嵌合される。
前記継手部材１３は、略筒状を呈し、その前端部に遠心方向へ突出する唾部１３ａを有する。そして、この継手部材１３は、その前端側にリング状部材１４を環状に装着するとともに、リング状部材１４よりも後側の外周面に後軸部１２を螺合接続している。
【００２１】
前記リング状部材１４は、継手部材１３前端の唾部１３ａと後軸部１２との間に挟まれる環状の被挟持部１４ａと、把持部材２０の後端部及び後述する環状係止部材４０等を周囲から覆うように配設された覆い部１４ｂとから一体的に形成され、当該筆記具Ａの意匠性を向上している。
【００２２】
また、把持部材２０は、シリコーン樹脂等の弾性合成樹脂材料をチューブ状に押出し成形し、それを所定長さに切断することによって形成された筒状体であり、図１及び図２に示すように、外周面側の筒状の外壁部２２と、内周面側（軸筒１０側）の筒状の内壁部２３との間に、軸方向に貫通された複数の空間部２１を有し、略二重筒状に形成され、前軸１１外周面に嵌め合わせられている。
【００２３】
外壁部２２は、その外径を後軸部１２の外径と略同寸法に形成している。
また、内壁部２３は、その内径が前軸１１の外径と略同寸法に設定すればよいが、前軸１１への装着性を良好にする観点から、好ましくは、その内径を前軸１１の外径よりも若干大きく設定する。
【００２４】
空間部２１は、把持部材２０が人差し指、中指、親指の三本の指で把持された際の把持感触を良好にするために、少なくとも三の倍数の数設けられ、把持部材２０の周方向に略等間隔に配置されている。ちなみに、図示例によれば、この空間部２１の数は、九つとしている。
【００２５】
また、環状係止部材４０は、把持部材２０の後端面と上記リング状部材１４との間に配置される環状部４１と、該環状部４１から上記空間部２１内へ向かって軸筒軸方向へ突出する複数の係合部４２とを備え、合成樹脂材料に一体成形されている。
【００２６】
環状部４１は、その内周面に、上記前軸１１の突部１１ａと嵌り合う凹部４１ａを形成している。
【００２７】
また、各係合部４２は、把持部材２０の空間部２１に略倣う断面形状を呈するとともに、空間部２１内へ向かって軸筒軸方向へ突出するように形成され、前軸１１の突部１１ａと緩衝しない位置に配設されている。
そして、この係合部４２は、把持部材２０の周方向への回動や、捩れ等を阻止するように、複数の空間部２１に対し所定数置きに嵌り合うように、複数配設されている。なお、図示例によれば、９つの空間部２１に対し二つ置きに嵌り合うよに、三つ配設されている。
【００２８】
この係合部４２の突出量は、把持部材２０の把持感触を低下させないように、把持部材２０の回動を阻止可能な範囲内で小さめに設定される。
すなわち、係合部４２の突出量が大き過ぎると、例えば筆記者が把持部材２０の後端側を把持した場合に、把持部材２０に沈み込んだ指が係合部４２により違和感を感じ、把持感触が損なわれてしまう。
【００２９】
そこで、係合部４２の突出量は、把持部材２０の回動を阻止可能な範囲内で、該係合部４２の突端がリング状部材１４の覆い部１４ｂの突端よりも若干突出する程度に設定している。
なお、把持部材２０の後端側に対する把持感触を更に向上する観点からは、この係合部４２の突出量を、該係合部４２の突端がリング状部材１４の覆い部１４ｂの突端よりも前方へ突出しない程度に設定してもよい。
【００３０】
而して、上記構成の筆記具Ａによれば、周方向へ不動な環状係止部材４０の係合部４２が、把持部材２０の周壁内の空間部２１と嵌り合うため、把持部材２０が前軸１１の外周面で周方向へ滑って回動するのを、防止することができる。
しかも、リング状部材１４の覆い部１４ｂの突端よりも前側において前軸１１の外周が凹凸の無い曲面状であるため、把持部材２０に沈み込んだ指に違和感を感じることがなく、把持部材２０の略全域にわたって把持感触が良好である。
その上、前軸１１に対し把持部材２０を環状に挿入する組み付け作業の際には、前軸１１の外周面における突部１１ａよりも前側が凹凸の無い曲面状であり、且つ把持部材２０の内面も凹凸の無い曲面状であるため、把持部材２０の内周面と前軸１１の外周面との摩擦抵抗が比較的小さく、その作業性が良好である。
【００３１】
次に、本発明に係わる筆記具の他例について説明する。なお、以下に示す他例において、上記筆記具Ａと略同様の構成部位については、上記筆記具Ａと同一符号を用いることで、重複する詳細説明を省略する。
【００３２】
図３に例示する筆記具Ｂは、上記筆記具Ａにおける環状係止部材４０、及び前軸１１の突部１１ａを省き、継手部材１３の前端面に、上記係合部４２と略同構成の係合部１３ｂを一体的に複数設けてなる。
各係合部１３ｂは、継手部材１３を金属製とする場合には、唾部１３ａを部分的に切り起こすようにして形成すればよいし、継手部材１３を合成樹脂製とする場合には、その成形加工の際に一体的に形成すればよい。
また、図４に例示する筆記具Ｃは、上記筆記具Ａにおける環状係止部材４０、及び前軸１１の突部１１ａを省き、先口３０の後端面に，上記係合部４２と略同構成の係合部３１を一体的に複数設けてなる。
これら筆記具Ｂ及び筆記具Ｃによれば、構成部品の削減等により、コスト低減や生産性の向上等の効果を奏する。
【００３３】
なお、筆記具Ｂ及び筆記具Ｃは、上記効果を奏する好ましい一例であるが、軸筒１０の強度向上や意匠性向上等の観点より、継手部材１３及び先口３０を金属材料から形成する場合には、把持部材２０の回動を防ぐ程度の長さの係合部１３ｂや係合部３１を加工するのが困難な場合があるため、上記筆記具Ａのように、一体成形された環状係止部材４０を具備した態様とするのが、より好ましい。
【図面の簡単な説明】
【００３４】
【図１】本発明に係わる筆記具の一例を示す要部断面図。
【図２】同筆記具の要部斜視図。
【図３】本発明に係わる筆記具の他例を示す要部断面図。
【図４】本発明に係わる筆記具の他例を示す要部断面図。
【符号の説明】
【００３５】
１０：軸筒
１１：前軸
２０：把持部材
２１：空間部
４０：環状係止部材
４２：係合部
Ａ，Ｂ，Ｃ：筆記具
【図１】
2005138303.tif 000003
【図２】
2005138303.tif 000004
【図３】
2005138303.tif 000005
【図４】
2005138303.tif 000006